(57)【要約】  【課題】  ハウリング調整手順を簡素化できる音量調整装置を提供する。  【解決手段】  音量調整部２０は、音量操作子４４の操作量に応じて音量を調整する。ハウリング検出部５２は、音量調整部２０を用いた音量変化に伴うハウリングの発生を検出する。制御部４０のフィルタ特性設定部５４は、ハウリング検出部５２により検出されたハウリングを抑制するようにハウリング抑制フィルタ５０の周波数特性を設定する。音量調整装置１０の音量調整機能が、ハウリング調整機能に利用される。【選択図】  図１
2005341135.tif 000002
【特許請求の範囲】
【請求項１】
音量操作子の操作量に応じて音量を調整する音量調整手段と、
前記音量調整手段を用いた音量変化に伴うハウリングの発生を検出するハウリング検出手段と、
前記音量調整手段に関連して設けられたハウリング抑制フィルタと、
前記ハウリング検出手段により検出されたハウリングを抑制するように前記ハウリング抑制フィルタの周波数特性を設定するフィルタ特性設定手段と、
を備えたことを特徴とする音量調整装置。
【請求項２】
前記音量調整手段には複数系統の音量調整器の機能が備えられ、前記複数系統の音量調整器の各々と関連してハウリング抑制フィルタが設けられ、さらに、一つの音量操作子に応じたハウリング検出およびフィルタ特性設定の対象になる音量調整器およびハウリング抑制フィルタを切り替える切替手段が設けられたことを特徴とする請求項１に記載の音量調整装置。
【発明の詳細な説明】
【技術分野】
【０００１】
本発明は、ハウリング抑制機能を備えた音量調整装置に関するものである。
【背景技術】
【０００２】
従来、ミキサ等の音量調整装置は、周知のように、複数の入力チャネルおよび出力チャネルを有しており、それらチャネルの音量を調整する複数の音量調整器を備えている。コンサート会場などでハウリングを確実に抑制するためには、音量調整装置が、別体のハウリング抑制装置（ハウリングサプレッサ）と組み合わされる。
【０００３】
図５は、従来の音量調整装置とハウリング抑制装置を組み合わせたシステムの構成例を示している。音量調整装置１００は、複数の入力系統のそれぞれに入力側音量調整器１０２を有し、また、複数の出力系統のそれぞれに出力側音量調整器１０４を有している。そして、入力側音量調整器１０２と出力側音量調整器１０４の間に加算器１０６が設けられている。複数のマイク１５０の音信号は入力端子１０８から入力され、入力側音量調整器１０２で音量が調整される。そして、入力音信号が加算器１０６で加算された後、複数の出力チャネルに分配される。そして、出力側音量調整器１０４で音量が調整された後、音信号は出力端子１１０から出力される。
【０００４】
ハウリング抑制装置１２０は、入力端子１２２と出力端子１２４を有しており、入力端子１２２は音量調整装置１００の出力端子１１０に接続され、出力端子１２４はアンプ１６０を経てスピーカ１７０に接続される。入力端子１２２と出力端子１２４の間には、ハウリング検出ボリュウム１２６およびフィルタ１２８が備えられている。また、ハウリング抑制装置１２０には、ハウリング検出部１３０と制御回路１３２が設けられており、制御回路１３２はＣＰＵで構成されている。
【０００５】
ハウリング抑制装置１２０では、ハウリング検出ボリュウム１２０が音量を増大していく。そして、音量増大中に、入力音信号がハウリング検出部１３０に供給される。ハウリング検出部１３０は、入力音信号に対してＦＦＴによる周波数分析処理を行い、ハウリング周波数を検出する。ハウリング周波数は、ハウリングが発生している周波数である。ハウリングには、単一のピーク周波数が成長する傾向があることが知られている。したがって、周波数分析によってハウリング周波数を検出できる。ハウリング周波数の情報は制御回路１３２に供給される。制御回路１３２は、ハウリング周波数の情報に基づいてフィルタ１２８の周波数特性を設定する。
【０００６】
フィルタ１２８はノッチフィルタである。ノッチフィルタは、音楽信号への影響が比較的小さい。ノッチフィルタの周波数特性が、ハウリング周波数の信号を通さないように設定される。この周波数設定に従って、制御回路１３２がフィルタ１２８を制御する。
【０００７】
フィルタ１２８は、制御回路１３２に指示される周波数の信号を通さないように動作する。このフィルタ処理が、音量調整器１００から供給される音信号に施され、これによりハウリングが抑制される。
【０００８】
以上に、従来例のハウリング抑制機能を説明した。このようなハウリング抑制技術は例えば特許文献１に開示されている。
【０００９】
次に、上記のシステムを使って行われる現場調整でのハウリング調整手順を説明する。現場調整は、コンサート会場などの場所で音響設備を設置するときに行われる。現場調整では、各種の音響機器の接続および動作などが確認され、このときにハウリング調整も行われる。
【００１０】
ハウリング調整では、まず、音量調整装置１００（ミキサ）が操作される。操作者が、ミキサのフェーダを定格（典型的には０ｄＢ）にし、それから、マスターフェーダ（調整したい系統）の音量をハウリング発生レベルから所定の幅（例えば１．５ｄＢ）だけ下げる。
【００１１】
次に、操作者は、ハウリング抑制装置１２０の操作に移る。操作者は、ハウリング抑制装置１２０の自動計測スイッチを押す。これにより、上述のハウリング検出および抑制機能が発揮される。すなわち、ハウリング検出ボリュウム１２６が音量を増大し、ハウリング検出部１３０がハウリングを検出し、制御回路１３２がハウリング周波数に応じてフィルタ１２８の周波数特性を設定する。
【００１２】
あるいは、操作者は手動でハウリング検出ボリュウム１２２を操作し、音量を増大させる。この場合も、ハウリング検出部１３０がハウリングを検出し、制御回路１３２がハウリング周波数に応じてフィルタ１２８の周波数特性を設定する。そして、フェーダが絞られて、ハウリング調整が完了する。
【００１３】
以上のように、ハウリング調整では、音量調整器１００とハウリング抑制装置１０２が順次操作される。
【特許文献１】特開平５−２６８１２０号公報（第３−４ページ、図１）
【発明の開示】
【発明が解決しようとする課題】
【００１４】
しかしながら、従来の音量調整装置は、上記のように別体のハウリング抑制装置と組み合わせて使用され、一つの音響系統に二つの音量調整要素が関連しており、各々の要素のレベル調整が必要であり、そのために、調整手順が複雑であるという問題がある。
【００１５】
さらに、音量調整器から複数の系統に音声が分配および拡声される場合には、ハウリング調整作業が、複数の系統の各々に対して行われる。上記の２つの音量調整要素の調整が、各系統に対して行われるので、調整点が系統数の２倍になり、系統間で操作対象を取り違えないように注意しなければならず、調整手順がさらに複雑化するという問題があった。
【００１６】
本発明は、上記課題を解決するためになされたものであり、その目的は、ハウリング調整手順を簡素化でき、ハウリング調整時間を短縮できる音量調整装置を提供することにある。
【課題を解決するための手段】
【００１７】
本発明の音量調整装置は、音量操作子の操作量に応じて音量を調整する音量調整手段と、前記音量調整手段を用いた音量変化に伴うハウリングの発生を検出するハウリング検出手段と、前記音量調整手段に関連して設けられたハウリング抑制フィルタと、前記ハウリング検出手段により検出されたハウリングを抑制するように前記ハウリング抑制フィルタの周波数特性を設定するフィルタ特性設定手段とを備えている。
【００１８】
この構成により、音量調整装置にハウリング検出手段およびハウリング抑制フィルタが備えられ、音量調整装置の音量調整手段が、ハウリング検出および調整のために機能するので、ハウリング調整手順が簡素化し、これにより調整時間を短縮できる。さらには、構成の簡素化も図ることができる。
【００１９】
また、本発明の音量調整装置において、前記音量調整手段には複数系統の音量調整器の機能が備えられ、前記複数系統の音量調整器の各々と関連してハウリング抑制フィルタが設けられ、さらに、一つの音量操作子に応じたハウリング検出およびフィルタ特性設定の対象になる音量調整器およびハウリング抑制フィルタを切り替える切替手段が設けられている。
【００２０】
この構成により、一つの音量操作子を使って、調整対象の系統を切り替えながら、複数の系統のハウリングを調整でき、調整手順をさらに簡素化できる。また、一つのハウリング検出手段およびフィルタ特性設定手段を複数の系統に適用でき、構成を簡素化できる。
【発明の効果】
【００２１】
本発明は、音量調整装置にハウリング検出手段およびハウリング抑制フィルタが備えられ、音量調整装置の音量調整手段が、ハウリング検出および調整のために機能するので、ハウリング調整手順が簡素化し、これにより調整時間を短縮できるという効果を有する音量調整装置を提供することができるものである。
【発明を実施するための最良の形態】
【００２２】
以下、本発明の実施の形態の音量調整装置について、図面を用いて説明する。
【００２３】
本発明の第１の実施の形態の音量調整装置を図１に示す。図１において、音量調整装置１０は、音量調整部２０と、音量調整部２０を制御する制御部４０を備えている。
【００２４】
音量調整部２０は、２本の入力チャネルと１本の出力チャネルを備えている。そして、２本の入力チャネルには入力側音声調整器２２、２４が設けられており、出力チャネルには出力側音量調整器２６が設けられており、入力側音量調整器２２、２４と出力側音量調整器２６の間に加算器２８が設けられている。
【００２５】
上記の音量調整部２０は、ＤＳＰ（Ｄｉｇｉｔａｌ  Ｓｉｇｎａｌ  Ｐｒｏｃｅｓｓｏｒ、以下同じ）で構成されている。したがって、実際には、複数の音量調整器の回路機能が、ＤＳＰの信号処理によって実現される。また、図１の例では、２本の入力チャネルと１本の出力チャネルが示されているが、実際には、同様の構成を有するより多くの入力系統および出力系統が設けられてよいことはもちろんである。
【００２６】
制御部４０は、ＣＰＵで構成されており、ＤＳＰである音量調整部２０を制御する。制御部４０は、図示されないが、音量調整部２０の各構成を個別に制御する。制御部４０は、ＡＤコンバータ４２を介して音量操作子４４に接続されている。音量操作子４４は、操作量を示す信号をＡＤコンバータ４２に供給する。例えば、音量操作子４４はフェーダー操作子であり、フェーダー移動量の信号を出力する。また、音量操作子４４はボリュウムタイプであり、ボリュウム回転角の信号を出力してもよい。図示されないが、入出力系統数などに応じた複数の音量操作子４４が設けられている。
【００２７】
次に、ハウリング抑制のための構成について説明すると、音量調整装置１０は、図示のように、音量調整部２０の出力側音量調整器２６の出力側に、ハウリング抑制フィルタ５０（以下、単にフィルタ５０という）を備えている。フィルタ５０はノッチフィルタであり、ハウリングが発生する非常に狭い帯域の信号を遮断する。また、音量調整装置１０は、ハウリング検出部５２とフィルタ特性設定部５４を備えている。
【００２８】
ハウリング検出部５２には、出力チャネルの音信号、すなわち、加算器２８の後の音信号が供給される。ハウリング検出部５２は、音信号に対してＦＦＴによる周波数分析処理を行い、周波数の特徴からハウリングの発生を検出する。既に説明したとおり、ハウリングには、単一のピーク周波数が成長する傾向があることが知られている。したがって、周波数分析によってハウリングの発生が検出される。
【００２９】
フィルタ５０およびハウリング検出部５２は、ＤＳＰによって構成されている。そして、フィルタ５０およびハウリング検出部５２は、音量調整部２０と同じＤＳＰで構成されている。より詳細には、ハウリング検出部５２は、ＤＳＰとＣＰＵ（制御部４０を構成するＣＰＵ）によって構成される。ＤＳＰで検出された周波数がＣＰＵで処理され、周波数から上記のようにしてハウリングが発生したか否かが判断され、ハウリング周波数も求められる。ハウリング周波数は、ハウリングが発生している周波数（ハウリング発生周波数）である。
【００３０】
フィルタ特性設定部５４は、制御部４０に設けられており、ハウリング検出部５２により検出されたハウリングを抑制するようにフィルタ５０の周波数特性を設定する。フィルタ５０は前述のようにノッチフィルタである。フィルタ特性設定部５０は、制御部４０が音量を増大していってハウリングが発生したときにハウリング検出部５２により検出されたハウリング周波数に基づき、フィルタ５０の遮断する周波数をハウリング周波数に設定する。設定された周波数特性は、周波数設定記憶部５６に記憶され、制御部４０によるフィルタ制御に利用される。
【００３１】
また、音量調整装置１０は、ハウリング調整開始ボタン５８を備えている。ハウリング調整開始ボタン５６は、ハウリング調整を行うときに使われる。ボタン押下げの信号は、制御部４０に取得され、これにより調整開始指示操作が受け付けられる。
【００３２】
その他、音量調整装置１０は、図示のように、入力端子６０、６２および出力端子６４を備えており、入力端子６０、６２にマイク等が接続され、出力端子６４にスピーカが接続される。
【００３３】
以上のように構成された音量調整装置１０の動作を説明する。まず、音量調整装置１０の一般的な音量調整動作について説明する。音量操作子４４が操作者により操作されると、操作量の信号がＡＤコンバータ４２に入力され、デジタル信号に変換される。そして、デジタル形式の操作量の信号が制御部４０に供給される。
【００３４】
制御部４０は、図示されない調整特性テーブル記憶部に記憶された調整特性テーブルを参照して、操作量に対応する音量を求める。調整特性テーブルは、操作量と音量の関係を記憶している。制御部４０は、調整特性テーブルから得られた音量に従って音量調整器を制御する。すなわち、目標の音量の音が発生するように、ＤＳＰの音量調整機能が制御される。入力端子６０、６２から入力された音信号は、入力側音量調整器２２、２４の音量調整処理を受け、加算器２８に供給される。さらに、音信号は、出力側音量調整器２６の音量調整処理を受ける。さらに、フィルタ５０にて、音信号からハウリング周波数の信号が除去され、そして、フィルタ後の音信号が出力端子６４から出力される。
【００３５】
次に、図２を参照し、ハウリング調整時の音量調整装置１０の動作について説明する。図２に示すように、操作者によりハウリング調整開始ボタン５８が押されると、ボタン押下げを示す信号が制御部４０に入力される。これにより、制御部４０のフィルタ特性設定部５４が、ハウリング調整処理の実行の指示を受け付ける（Ｓ１０）。そして、操作者により音量操作子４４が音量を増大するように操作されると、この操作に従って制御部４０が出力側音量調整器２６を制御して音量を増大させる（Ｓ１２）。なお、音量は自動的に増大されてもよい。この場合、予め記憶されている初期音量および音量増大速度に従って、音量増大制御が行われる。
【００３６】
音量を増大していく過程で、ハウリング検出部５２によりハウリングが検出され（Ｓ１４）、ハウリング特性設定部５４がハウリング周波数を取得する（Ｓ１６）。そして、フィルタ特性設定部５４は、ハウリング周波数の信号を遮断するようにフィルタ５０の周波数特性を設定する（Ｓ１８）。フィルタ５０はノッチフィルタであり、ノッチ部分の周波数が、ハウリング周波数に一致するように、周波数特性が設定される。この設定値が周波数設定記憶部５６に格納される（Ｓ２０）。そして、ハウリング調整処理が終了する。例えば、ハウリング調整開始ボタン５８の再度の押下げに応答して、ハウリング調整処理が終了する。以降は、設定された周波数特性に従ってフィルタ５０が動作する。
【００３７】
上記のハウリング調整は、現場調整の一環として好適に行われる。前述のように、現場調整は、コンサート会場などの場所で音響設備を設置するときに行われる。ハウリング調整の後は、フィルタ５０によりハウリング周波数の信号が遮断されるので、ハウリング発生が効果的に抑制される。
【００３８】
以上に説明したように、本発明の第１の実施の形態によれば、音量調整装置１０にハウリング検出部５２およびハウリング抑制フィルタ５０が備えられ、ハウリング抑制装置が音量調整装置１０に一体化されている。そして、本実施の形態では、音量調整装置１０の音量調整部２０が、ハウリング検出および調整のために機能する。すなわち、元々のミキサとしての音量調整機能が、ハウリング調整の音量増大動作に使われる。これにより、音量調整装置と別体のハウリング抑制装置との両者の音量を操作してハウリングを調整するといった従来の複雑な作業手順と比較して、調整手順が簡素化し、調整時間を短縮でき、調整誤操作に伴う事故の可能性も低減できる。
【００３９】
さらには、ミキサとしての音量調整機能をハウリング検出に使うことで、ハウリング測定用ボリュウムを削減でき、構成も簡素化することができる。
【００４０】
なお、本実施の形態では、フィルタ５０が出力系統に設けられた。これに対して、フィルタが入力チャネルに設けられてもよい。そして、入力チャネルの音信号から、周波数特性の設定に使うハウリング周波数が検出されてもよい。また、入力チャネルと出力チャネルの両方にフィルタ等のハウリング調整機能が設けられてよい。
【００４１】
図３は、本発明の第２の実施の形態に係る音量調整装置７０を示している。以下、第１の実施の形態と重複する事項の説明は省略する。
【００４２】
図３では、音量調整部７２に２つの出力チャネルが示されており、それらの出力チャネルに出力側音量調整器７４、７６が設けられている。そして、一方の出力側音量調整器７４に対応してフィルタ８０、出力端子８２が設けられ、同様に、他方の出力側音量調整器７６に対応してフィルタ８４、出力端子８６が設けられている。
【００４３】
また、図３に示すように、本実施の形態の音量調整装置７０には、セレクタ９０、９２が設けられている。セレクタ９０は、ハウリング検出部５２による検出対象のチャネルを切り替えるように構成されており、また、セレクタ９２は、制御部４０によるフィルタ特性の設定対象のフィルタを切り替えるように構成されている。セレクタ９０、９２は、ＣＰＵによって構成される。すなわち、ＣＰＵが、制御部４０およびそのフィルタ特性設定部５４として機能するとともに、自身の制御対象等を切り替えるセレクタ９０、９２としても機能する。これら機能はＣＰＵのソフトウエア処理により実現される。
【００４４】
さらに、音量調整装置７０には、選択スイッチ９４が設けられている。選択スイッチ９４は、ハウリング調整対象のチャネルを切り替えるために使用されるスイッチであり、操作者により操作される。選択スイッチ９４の操作を示す信号は、セレクタ９０、９２に供給される。
【００４５】
以上のように構成された音量調整装置７０の動作を説明する。図４に示すように、まず、第１の実施の形態と同様に、操作者によりハウリング調整開始ボタン５８が押されると、ボタン押下げを示す信号が制御部４０に入力される。これにより、制御部４０のフィルタ特性設定部５４が、ハウリング調整処理の実行の指示を受け付ける（Ｓ１０）。
【００４６】
次に、セレクタ９０、９２が、ハウリング調整対象のチャネルを選択する処理を行う（Ｓ１１）。この処理では、操作者により選択スイッチ９４が操作されると、スイッチ操作の信号が受け付けられる。そして、スイッチ操作に従ったチャネルが選択される。ここでは、セレクタ９０、９２が、図３に示される状態にあるとする。すなわち、出力側音量調整器７４を備えた方の出力チャネルが選択されたとする。
【００４７】
次に、第１の実施の形態と同様にして、選択された出力チャネルに対してハウリング調整が行われる。音量操作子４４の操作に従って、制御部４０により出力側音量調整器７４が制御され、音量が増大され（Ｓ１２）、ハウリング発生が判定される（Ｓ１４）。なお、図３には示されないが、選択スイッチ９４のスイッチ操作の情報は、制御部４０にも取得され、また、制御対象の音量調整器を切り替えるセレクタ（図示せず）に取得される。このセレクタもＣＰＵで構成される。同セレクタがが機能して、スイッチ操作に応じたチャネルの音量調整器が制御される。
【００４８】
そして、ハウリングが発生すると、ハウリング周波数の情報が取得され（Ｓ１６）、ハウリング周波数の信号を遮断するように、フィルタ８０の周波数特性が設定され（Ｓ１８）、周波数設定記憶部５６に周波数特性が格納される（Ｓ２０）。フィルタ８０は、セレクタ９２で選択されている方のフィルタである。
【００４９】
以上の処理により１つのチャネルのハウリング調整が完了すると、ステップＳ１１に戻り、次の出力チャネルを選択する処理がセレクタ９０、９２により行われる。図３の例では、操作者による選択スイッチ９４のスイッチ操作に従い、対象チャネルが、出力側音量調整器７６が設けられた下側のチャネルへと切り替えられる。そして、上述のハウリング調整処理が同様に行われる。
【００５０】
図３には示されないが、さらに他の出力チャネルが好適に設けられる。そして、各出力チャネルにフィルタが設けられ、各チャネルを選択するように図３のセレクタ９０、９２等が構成される。そして、選択スイッチ９４の操作に従って、順次、チャネルが切り替えられ、チャネルごとにハウリング調整処理が行われる。
【００５１】
以上のようにして、チャネルを切り替えながら、順次、ハウリング調整が行われる。操作者は、選択スイッチ９４を操作しては、同じ音量操作子４４を操作する、という作業を繰り返すことで、複数のチャネルのハウリング調整を順次行える。ハウリング調整を終了するときは、所定の終了操作が行われる。例えば、ハウリング調整開始ボタン５８が再度押し下げられる。
【００５２】
以上に説明したように、本発明の第２の実施の形態によれば、一つの音量操作子４４に応じたハウリング検出およびフィルタ特性設定の対象になる音量調整器およびハウリング抑制フィルタを切り替えるセレクタが設けられたので、一つの音量操作子４４を使って、調整対象の系統を切り替えながら、複数の系統のハウリングを調整でき、調整手順をさらに簡素化できる。また、一つのハウリング検出部５２およびフィルタ特性設定部５４を複数の系統に適用でき、構成を簡素化できる。
【００５３】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５４】
以上のように、本発明は、音量調整装置にハウリング検出手段およびハウリング抑制フィルタを備え、音量調整装置の音量調整手段がハウリング検出および調整のために機能する構成を設けたことにより、ハウリング調整手順が簡素化し、これにより調整時間を短縮できるという効果を有し、ミキサ等として有用である。
【図面の簡単な説明】
【００５５】
【図１】本発明の第１の実施の形態における音量調整装置を示す図
【図２】本発明の第１の実施の形態における音量調整装置の動作説明のためのフロー図
【図３】本発明の第２の実施の形態における音量調整装置を示す図
【図４】本発明の第２の実施の形態における音量調整装置の動作説明のためのフロー図
【図５】従来の音量調整装置を示す図
【符号の説明】
【００５６】
１０  音量調整装置
２０  音量調整部
２２、２４  入力側音声調整器
２６  出力側音量調整器
２８  加算器
４０  制御部
４２  ＡＤコンバータ
４４  音量操作子
５０  ハウリング抑制フィルタ
５２  ハウリング検出部
５４  フィルタ特性設定部
【図１】
2005341135.tif 000003
【図２】
2005341135.tif 000004
【図３】
2005341135.tif 000005
【図４】
2005341135.tif 000006
【図５】
2005341135.tif 000007